【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
ゲルカセットと、
少なくとも1つの歯を有するコームと
を備えたゲル電気泳動用装置、ここで該歯は少なくとも40μlの容量を有する、前記ゲル電気泳動用装置。
【請求項２】
ゲルカセットが保持板及び仕切り板を含む、請求項1に記載の装置。
【請求項３】
ゲルカセットが、仕切り板又は保持板の少なくとも1つの外側面から延びるへりを含む、請求項2に記載の装置。
【請求項４】
前記コームがくさび形歯を有する、請求項1に記載の装置。
【請求項５】
前記くさび形歯が、該歯の底面と平行な平面から延びている少なくとも１つの表面を有しており、該歯の底面と平行な平面から延びている少なくとも１つの表面は、該底面と平行な平面から約45度〜約90度の角度を成して歯の上部へと延びており、該くさび形歯はくさび形ウェルを形成するよう設計されている、請求項４に記載の装置。
【請求項６】
前記くさび形歯が、歯の先端において平坦な面を有する、請求項４に記載の装置。
【請求項７】
カセットが少なくとも1つの内側面を有する、請求項1に記載の装置。
【請求項８】
少なくとも1つの内側面がコーティングで被覆されている、請求項７に記載の装置。
【請求項９】
コーティングが酸素干渉コーティングである、請求項８に記載の装置。
【請求項１０】
酸素干渉コーティングが、SiO又はSiO2の少なくとも1つから選択される、請求項９に記載の装置。
【請求項１１】
前記歯が、少なくとも41μL、少なくとも約45μL、少なくとも約55μL、少なくとも60μL、少なくとも約70μL、少なくとも約75μL、少なくとも90μL、少なくとも約100μL、少なくとも約110μL、又は少なくとも約130μLの容量を有する、請求項1に記載の装置。
【請求項１２】
1mmゲル内にサンプルウエルを形成するように設計された少なくとも１つの歯を有するコームを備えたゲル電気泳動用装置であって、該サンプルウエルの大きさが、標準コームによって形成されるサンプルウエルを有するゲルより少なくとも10％大きいものである、上記装置。
【請求項１３】
サンプルウエルの大きさが、標準コームによって形成されるサンプルウエルを有するゲルより少なくとも100％大きいものである、請求項１２に記載の装置。
【請求項１４】
標準ミニゲル10歯コームによって形成されるサンプルウエルが、37.5μLの容量を有する、請求項１３に記載の装置。
【請求項１５】
前記サンプルウェルが、標準コームを用いて形成されるウエルより、少なくとも20％大きい、少なくとも50％大きい、少なくとも100％大きい、少なくとも150％大きい、少なくとも175％大きい、少なくとも200％大きい、又は少なくとも250％大きい容量を有する、請求項１２に記載の装置。
【請求項１６】
前記コームがくさび形を有する、請求項１２に記載の装置。
【請求項１７】
前記コームが、単一歯コーム、9歯コーム、10歯コーム、12歯コーム、15歯コーム、又は17歯コームである、請求項１又は１２に記載の装置。
【請求項１８】
標準ゲルサンプルウエルより少なくとも10％多いサンプルを受容するように設計されたサンプルウエルを形成するように設計されたくさび形歯を有するコームを備えた、請求項１又は１２に記載の装置。
【請求項１９】
鮮明なバンドを有するゲルを形成するように設計されている、請求項１又は１２に記載の装置。
【請求項２０】
高分解能を有するゲルを形成するように設計されている、請求項１又は１２に記載の装置。
【請求項２１】
コーム上に陥凹部を含む、請求項１又は１２に記載の装置。
【請求項２２】
陥凹部が、ゲル形成中に皮膜の形成を防止するように設計されている、請求項２１に記載の装置。
【請求項２３】
少なくとも1つの歯の少なくとも片側が傾斜しており、少なくとも1つの歯は、上記キャビティーの縁から少なくとも0.335インチの地点に位置する、請求項１又は１２に記載の装置。
【手続補正２】
【補正対象書類名】明細書
【補正対象項目名】００６４
【補正方法】変更
【補正の内容】
【００６４】
本発明の好ましい実施形態を本明細書に示し、説明してきたが、これらの実施形態が例示目的で記載されていることは当業者には明らかであろう。当業者は、本発明を逸脱することなく、多数の改変、変更及び代用を実施可能であろう。本明細書に記載した本発明の実施形態の多様な変形は、本発明を実施するのに使用することができることを理解すべきである。以下に示す特許請求の範囲が本発明の範囲を定めるものとし、また、特許請求の範囲内の方法及び構造物並びにそれらの同等物は本発明の範囲に含まれるものとする。
本発明は以下の実施形態を包含する。   
[１]  ゲルカセットと、
少なくとも1つのくさび形歯を有するコームと
を備えたゲル電気泳動用装置。   
[２]  ゲルカセットが保持板及び仕切り板を含む、1に記載の装置。   
[３]  ゲルカセットが、仕切り板又は保持板の少なくとも1つの外側面から延びるへりを含む、2に記載の装置。   
[４]  くさび形歯が少なくとも40μLの容量を有する、1に記載の装置。   
[５]  カセットが少なくとも1つの内側面を有する、1に記載の装置。   
[６]  少なくとも1つの内側面がコーティングで被覆されている、5に記載の装置。   
[７]  コーティングが酸素干渉コーティングである、6に記載の装置。   
[８]  酸素干渉コーティングが、SiO又はSiO2の少なくとも1つから選択される、7に記載の装置。   
[９]  1mmゲル内にサンプルウエルを形成するように設計されたくさび形歯を有するコームを備えたゲル電気泳動用装置であって、該サンプルウエルの大きさが、標準コームによって形成されるサンプルウエルを有するゲルより少なくとも10％大きいものである、上記装置。   
[１０]  サンプルウエルの大きさが、標準コームによって形成されるサンプルウエルを有するゲルより少なくとも100％大きいものである、9に記載の装置。   
[１１]  標準ミニゲル10歯コームによって形成されるサンプルウエルが、37.5μLの容量を有する、10に記載の装置。   
[１２]  1mmゲル内にサンプルウエルを形成するように設計されたくさび形歯を有する10歯ミニゲルコームを備えたゲル電気泳動用装置であって、該サンプルウエルが少なくとも70μLの容量を有する、上記装置。   
[１３]  標準ゲルサンプルウエルより少なくとも10％多いサンプルを受容するように設計されたサンプルウエルを形成するように設計されたくさび形歯を有するコームを備えたゲル電気泳動用装置。   
[１４]  鮮明なバンドを有するゲルを形成するように設計されている、13に記載の装置。
[１５]  高分解能を有するゲルを形成するように設計されている、13に記載の装置。  
[１６]  コーム上に陥凹部を含む、1に記載の装置。   
[１７]  陥凹部が、ゲル形成中に皮膜の形成を防止するように設計されている、16に記載の装置。   
[１８]  ゲルカセットの少なくとも1つの外側面からある角度を成して延びるへりを有するゲルカセットと、
少なくとも1つのくさび形歯を有するコームと
を備えたゲル電気泳動用装置。   
[１９]  キャビティーを有するゲルカセットと、
コームと
を備えたゲル電気泳動用装置であって、該コームが、コーム上に設けられる少なくとも1つの歯を含み、少なくとも1つの歯の少なくとも片側が傾斜しており、少なくとも1つの歯は、上記キャビティーの縁から少なくとも0.335インチの地点に位置する、上記装置。